(57)【特許請求の範囲】
【請求項１】
用紙を搬送する搬送部と、
搬送される前記用紙に対して印字する印字部と、
前記用紙の表裏面を案内する一対の用紙表裏面ガイドと、
少なくとも一方が前記用紙の幅方向に対して移動自在であって前記用紙の用紙搬送方向に対する両側部を案内する一対の用紙幅ガイドと、
を具備し、
一方の前記用紙表裏面ガイドは、前記用紙の幅方向の一側方において片持ち構造で保持され、片持ち構造側を支点として他方の前記用紙表裏面ガイドに対して近接離反するように移動自在であり、
移動する一方の前記用紙表裏面ガイドは、前記用紙幅ガイドに対向配置されるとともに、前記用紙幅ガイドの進入を許容する進入空間を形成する用紙搬送方向上下流側に位置付けられた第一の用紙面ガイド及び第二の用紙面ガイドを具備し、
前記用紙幅ガイドは、移動する一方の前記用紙表裏面ガイドとは独立して設けられている、
ことを特徴とするプリンタ。
【請求項２】
前記搬送部は、駆動ローラとこの駆動ローラに対向して前記用紙を挟むピンチローラとを含み、
前記印字部は、プラテンと印字ヘッドとを含み、
前記ピンチローラと前記印字ヘッドとは、移動する一方の前記用紙表裏面ガイドと一体に保持されている請求項１記載のプリンタ。
【発明の詳細な説明】
【０００１】
【発明の属する技術分野】
本発明は、用紙を搬送して、その用紙に印字するプリンタに関する。
【０００２】
【従来の技術】
従来、用紙案内経路内の用紙であるロール紙を用紙ガイド部によってその用紙の表裏面及び用紙搬送方向に対する両側部を案内しながら搬送部によって搬送し、その用紙に印字部により印字するプリンタがある。
【０００３】
このような従来のプリンタの用紙ガイド部を図１１に示す。図１１に示すように、用紙ガイド部１００は、用紙表面ガイド１０１と、用紙幅ガイド１０２と、用紙裏面ガイド１０３とを有してコの字形状に形成され互いに開口部が対向するように配置された一対の用紙ガイド１０４，１０５により構成されている。用紙表面ガイド１０１は、用紙Ａの表面を案内し、用紙裏面ガイド１０３は、用紙Ａの裏面を案内し、用紙幅ガイド１０２は、用紙Ａの用紙搬送方向に対する両側部を案内する。そして、用紙ガイド部１００は、用紙案内経路１０６を構成している。
【０００４】
【発明が解決しようとする課題】
上述したような従来のプリンタでは、用紙ガイド部１００での用紙案内経路１０６への用紙セットにおいては、一対の用紙ガイド１０４，１０５の間に用紙Ａをセットしなければならず、作業性が悪いという問題がある。また、用紙ガイド部１００での用紙案内経路１０６における用紙ジャム処理においても、作業空間が狭いため同様に作業性が悪いという問題がある。
【０００５】
本発明の目的は、用紙案内経路への用紙のセット作業や用紙案内経路における用紙ジャム処理作業の容易化を図ることである。
【０００６】
【課題を解決するための手段】
本発明のプリンタは、用紙を搬送する搬送部と、搬送される前記用紙に対して印字する印字部と、用紙の表裏面を案内する一対の用紙表裏面ガイド（例えば用紙表面ガイド及び用紙裏面ガイド）と、少なくとも一方が前記用紙の幅方向に対して移動自在であって前記用紙の用紙搬送方向に対する両側部を案内する一対の用紙幅ガイドと、を具備し、一方の前記用紙表裏面ガイド（例えば用紙表面ガイド）は、前記用紙の幅方向の一側方において片持ち構造で保持され、片持ち構造側を支点として他方の前記用紙表裏面ガイド（例えば用紙裏面ガイド）に対して近接離反するように移動自在であり、移動する一方の前記用紙表裏面ガイドは、前記用紙幅ガイドに対向配置されるとともに、前記用紙幅ガイドの進入を許容する進入空間を形成する用紙搬送方向上下流側に位置付けられた第一の用紙面ガイド及び第二の用紙面ガイドを具備し、前記用紙幅ガイドは、移動する一方の前記用紙表裏面ガイドとは独立して設けられている。
【０００７】
したがって、一方の用紙表裏面ガイドを他方の用紙表裏面ガイドから離反させることにより、一方の用紙表裏面ガイドと他方の用紙表裏面ガイドとの間が開放される。
【０００８】
【発明の実施の形態】
本発明の実施の一形態を図１ないし図１０に基づいて説明する。本実施の形態は、用紙の位置決め基準を用紙搬送方向に直交する用紙幅方向の中心とするいわゆるセンタ基準のサーマルプリンタへの適用例であり、用紙としてロール紙が適用される。
【０００９】
図１は、プリンタの外観を概略的に示す斜視図である。図１に示すように、このプリンタ１の本体ハウジング２の前面には、印字された後の用紙Ａ（図４参照）が排出される排出口３が形成されている。本体ハウジング２の左側には、各種操作キー４や表示部５などを前面に備える制御ボックス６が設けられている。この制御ボックス６の内部には、プリンタ１が備える各部を駆動制御する図示しない制御部が設けられている。本体ハウジング２の右側には、本体ハウジング２の内部を開放及び閉塞するカバー７が設けられている。このカバー７は、本体ハウジング２の上面の制御ボックス６側に設けられたヒンジ８を中心として上方向へ回動自在に設けられている。
【００１０】
図２はカバー７が開けられた状態であって、用紙案内経路が開放された状態のプリンタ１を概略的に示す斜視図、図３は片持ちユニットが開放位置にある状態を示す斜視図、図４はプリンタ１の内部構造を概略的に示す縦断側面図、図５は保持側板に固定された状態の片持ちユニットを示す斜視図である。なお、図２及び図３は一部の部材を省略して示し、図４は用紙Ａ及びインクリボンＢがセットされた状態を示している。
【００１１】
図２ないし図５に示すように、プリンタ１の本体ハウジング２の内部には、用紙Ａであるロール紙を収納保持する用紙保持部９、駆動ローラ１０とピンチローラブロック１１とを有し用紙Ａを搬送する搬送部１２、プラテン１３とヘッドブロック１４とを有し用紙Ａに印字する印字部１５、印字部１５にインクリボンＢを供給するインクリボン供給部１６、用紙Ａを検出するセンサ１７、用紙Ａを案内する用紙ガイド部１８などが設けられている。そして、本体ハウジング２の内部には、用紙保持部９から用紙ガイド部１８、センサ１７、搬送部１２及び印字部１５を経由して排出口３へ到る経路に用紙Ａを案内する用紙案内経路１９が設けられている。
【００１２】
ピンチローラブロック１１及びヘッドブロック１４は、板金フレーム２０に取り付けられて一体化され、本体ハウジング２に対して回動自在な片持ちユニット２１を構成している。ここで、ピンチローラブロック１１とヘッドブロック１４とは、それぞれの一端が板金フレーム２０に固定されている。即ち、ピンチローラブロック１１とヘッドブロック１４とは、片持ち構造で板金フレーム２０に保持されている。
【００１３】
この片持ちユニット２１は、印字動作可能な動作位置と、ピンチローラブロック１１及びヘッドブロック１４が駆動ローラ１０及びプラテン１３から離反して用紙案内経路１９を開放する開放位置との間で回動自在とされている。なお、片持ちユニット２１の自由端は、動作位置において、本体ハウジング２に設けられた保持側板２２によって本体ハウジング２に固定される。これにより、片持ちユニット２１を構成する部材の位置決め精度の向上及び剛性確保が図られている。この保持側板２２は、片持ちユニット２１を本体ハウジング２に固定する固定位置（図５）と、片持ちユニット２１の本体ハウジング２への固定を解除する固定解除位置（図２）との間で本体ハウジング２に対して回動自在に取り付けられている。
【００１４】
ここで、片持ちユニット２１の取付構造について詳しく説明する。図６は片持ちユニット２１の取り付け構造を示す平面図、図７は片持ちユニット２１の取り付け構造を示し、（ａ）は片持ちユニット２１が動作位置にある状態を示す正面図、（ｂ）は片持ちユニット２１が開放位置にある状態を示す正面図である。
【００１５】
図６及び図７に示すように、板金フレーム２０には、制御ボックス６側の一面から制御ボックス６の側板２３を貫通し制御ボックス６の内部に延びて用紙搬送方向において間隔を開けて対向する一対のアーム２４，２５が形成されている。これらのアーム２４，２５が用紙案内経路１９の一側方であって制御ボックス６の内部に設けられた支軸２６によって回動自在に保持されている。この支軸２６の軸方向は、用紙搬送方向と同じとされている。そして、片持ちユニット２１は、支軸２６を支点として回動する。
【００１６】
片持ちユニット２１は、引っ張りバネとして機能するコイルバネ２７ａ，２７ｂによって動作位置から開放位置へ回動するように上方向へ引っ張られている。これらのコイルバネ２７ａ，２７ｂは、それぞれアーム２４，２５と本体ハウジング２の上部とに支持されている。片持ちユニット２１は、動作位置に位置しているときには、固定部材（図示せず）によってコイルバネ２７ａ，２７ｂの引っ張り力に抗して位置固定されている。固定部材は、片持ちユニット２１及び本体ハウジング２にそれぞれ設けられた一対の磁石により構成され、それらの磁力により片持ちユニット２１を動作位置で位置固定する。
【００１７】
このようなプリンタ１の本体ハウジング２の内部に設けられている各部について、以下において詳しく説明する。
【００１８】
まず印字部１５を説明する。図２ないし図４に示すように、印字部１５を構成するヘッドブロック１４は、印字ヘッドとしてのサーマルヘッド２８、ヘッド圧力調節機構２９、及び、これらのサーマルヘッド２８とヘッド圧力調節機構２９とを保持するヘッドブロックカバー３０により構成されている。ヘッドブロックカバー３０は、板金フレーム２０に所定の間隔を開けて対向する補助側板３１を有し板金フレーム２０に固定されている。サーマルヘッド２８は、用紙案内経路１９を介してプラテン１３に接離自在に当接するように板金フレーム２０とヘッドブロックカバー３０の補助側板３１とにより保持されている。ここで、サーマルヘッド２８は、片持ちユニット２１が動作位置にある状態でプラテン１３に当接する。ヘッド圧力調節機構２９は、サーマルヘッド２８を押圧することによりサーマルヘッド２８のプラテン１３に当接する圧力を調節する。そして、印字部１５では、ヘッド圧力調節機構２９により押圧されたサーマルヘッド２８と用紙Ａとの間にインクリボンＢ（図４参照）が介在され、サーマルヘッドの発熱体が発熱することにより印字が行なわれる。
【００１９】
加えて、ヘッドブロック１４には、特に図示しないが、ヘッドアップ機構が設けられている。ヘッドアップ機構は、印字動作においてサーマルヘッド２８による印字はされずに用紙Ａが搬送される際に、ヘッドを用紙Ａから離反させたヘッドアップ位置に移動させる。
【００２０】
プラテン１３は、図２に示すように、制御ボックス６の側板２３と、この側板２３に対向するように本体ハウジング２の底板に立設された側板３２とにより回転自在に保持されている。プラテン１３は、制御ボックス６の内部に設けられた図示しないモータにより回転駆動される。そして、プラテン１３が回転駆動されることにより、サーマルヘッド２８とプラテン１３との間に挟まれた用紙Ａが用紙案内経路１９に沿って搬送される。即ち、プラテン１３は、用紙Ａを搬送する搬送部としても機能する。
【００２１】
次に、搬送部１２について説明する。図２ないし図４に示すように、搬送部１２を構成するピンチローラブロック１１は、ピンチローラ体３３と、このピンチローラ体３３を保持するローラブロックカバー３４とにより構成されている。ローラブロックカバー３４は、板金フレーム２０に所定の間隔を開けて対向する補助側板３５を有し板金フレーム２０に固定されている。ピンチローラ体３３は、用紙案内経路１９を介して駆動ローラ１０に対向配置され、板金フレーム２０とローラブロックカバー３４の補助側板３５とにより駆動ローラ１０に対して接離自在になるように保持されている。
【００２２】
ピンチローラ体３３は、ピンチローラブロック１１に設けられた付勢手段（図示せず）により駆動ローラ１０に当接するように付勢されている。ここで、ピンチローラ体３３は、片持ちユニット２１が動作位置にある状態で駆動ローラ１０に当接する。このピンチローラ体３３は、駆動ローラ１０に対して用紙搬送方向の上流側及び下流側に所定の間隔で配置された２つのピンチローラ３６ａ，３６ｂと、これらのピンチローラ３６ａ，３６ｂ間に掛け渡されたエンドレスベルトであるゴムベルト３７とから構成されておりピンチローラとして機能する。
【００２３】
駆動ローラ１０は、側板２３，３２により回転自在に保持されている。駆動ローラ１０は、制御ボックス６の内部に設けられた図示しないモータにより回転駆動される。そして、駆動ローラ１０が回転駆動されることにより、駆動ローラ１０とピンチローラ体３３との間に挟まれている用紙Ａが用紙案内経路１９に沿って搬送される。
【００２４】
次に、用紙ガイド部１８を図８ないし図１０に基づいて説明する。図８は、用紙ガイド部１８を示す斜視図、図９は、用紙ガイド部１８を示す縦断側面図、図１０は、用紙ガイド部１８を示す縦断正面図である。
【００２５】
用紙ガイド部１８は、図８ないし図１０に示すように、片持ちユニット２１とは独立して設けられた一対の用紙幅ガイド３８ａ，３８ｂと、用紙裏面ガイド３９と、用紙表面ガイド４０とにより構成されて、用紙案内経路１９の一部を形成している。
【００２６】
一対の用紙幅ガイド３８ａ，３８ｂは、用紙Ａの用紙搬送方向に対する両側部を案内する。用紙裏面ガイド３９は、用紙Ａの両側部の裏面に対向する一対の用紙裏面ガイド３９ａ，３９ｂにより構成されている。これらの用紙裏面ガイド３９ａ，３９ｂは、用紙幅ガイド３８ａ，３８ｂに一体に形成され用紙Ａの裏面を案内する。用紙表面ガイド４０は、用紙幅ガイド３８ａ，３８ｂに対向するように用紙幅ガイド３８ａ，３８ｂと用紙裏面ガイド３９ａ，３９ｂとは独立して設けられて、用紙Ａの記録面である表面に対向し用紙Ａの表面を案内する。ここで、用紙裏面ガイド３９と用紙表面ガイド４０とにより用紙Ａの表裏面を案内する一対の用紙表裏面ガイドが構成されている。
【００２７】
用紙幅ガイド３８ａ，３８ｂは、ラック４１ａ，４１ｂとピニオン４２とから構成されるラックアンドピニオン機構４３により用紙Ａの幅方向に移動自在に保持されている。用紙幅ガイド３８ａ，３８ｂには、それぞれラック４１ａ，４１ｂが取り付けられている。これらのラック４１ａ，４１ｂは、用紙搬送方向に対して直交する方向において対向配置されている。そして、ラック４１ａ，４１ｂは、ピニオン４２に噛み合い互いに反対方向に移動する。
【００２８】
用紙表面ガイド４０は、用紙案内経路１９の一側方（即ち、用紙幅方向の一側方）に片持ち構造で保持され、用紙裏面ガイド３９に対して近接離反するように回動自在に設けられている。具体的には、用紙表面ガイド４０は、片持ちユニット２１を構成するローラブロックカバー３４の下端部に形成されている。即ち、この用紙表面ガイド４０は、板金フレーム２０を介して、用紙案内経路１９の一側方に位置する支軸２６を中心として、印字動作の際に用紙Ａを案内する動作位置と、用紙裏面ガイド３９から離反して用紙案内経路１９を開放する開放位置との間で回動自在に設けられている。
【００２９】
用紙表面ガイド４０は、用紙幅ガイド３８ａ，３８ｂの用紙搬送方向上流側に位置する第一の用紙面ガイド４０ａと、用紙幅ガイド３８ａ，３８ｂの用紙搬送方向下流側に位置する第二の用紙面ガイド４０ｂとにより構成されている。これらの第１及び第二の用紙面ガイド４０ａ，４０ｂの間には、進入空間Ｃが形成されている。この進入空間Ｃには、用紙幅ガイド３８ａ，３８ｂが出入り自在であって、動作位置において用紙幅ガイド３８ａ，３８ｂが挿入される。そして、用紙表面ガイド４０が動作位置に位置している状態のときにおいても、進入空間Ｃにおいて、用紙幅ガイド３８ａ，３８ｂが用紙幅方向へ移動可能とされている。
【００３０】
次に、インクリボン供給部１６は、図２及び図４に示すように、未使用のインクリボンＢを保持し印字部１５へ供給するリボン供給軸４４と、使用済のインクリボンＢを巻き取るリボン巻取軸４５とから構成されている。リボン供給軸４４及びリボン巻取軸４５は、制御ボックス６の内部に設けられた図示しないモータにより回転駆動される。リボン供給軸４４に保持され印字部１５へ供給されるインクリボンＢは、サーマルヘッド２８とプラテン１３との間を経由してリボン巻取軸４５に巻き取られる。
【００３１】
次に、用紙保持部９について説明する。図２及び図４に示すように、用紙保持部９には、用紙Ａを保持する用紙保持軸４６と、用紙保持軸４６によって保持される用紙Ａの幅方向の移動を規制する一対のサイドフェンス４７ａ，４７ｂとが設けられている。
【００３２】
加えて、本体ハウジング２の内部のプラテン１３よりも用紙搬送方向下流側には、図４に示すように、用紙Ａとして台紙上にラベルが所定間隔で貼り付けられたラベル用紙が使用される際にラベルを台紙から剥離させるための剥離板４８が設けられている。特に図示しないが、ラベル用紙が剥離された後の台紙は、本体ハウジング２の下側に設けられた台紙巻き取り部に巻き取られる。
【００３３】
ここで、本実施の形態では、片持ちユニット２１が、用紙表面ガイド４０、ヘッドブロック１４及びピンチローラブロック１１により構成された例を説明しているが、片持ちユニット２１としては、これに限るものではなく、用紙裏面ガイド３９ａ，３９ｂにより構成されていてもよい。
【００３４】
また、本実施の形態では、用紙幅ガイド３８ａ，３８ｂを片持ちユニット２１とは独立して設けられている例を説明しているが、用紙幅ガイド３８ａ，３８ｂとしては、これに限るものではなく、片持ちユニット２１に設けられていてもよい。
【００３５】
また、本実施の形態では、用紙Ａの幅方向の中心を用紙Ａの位置決め基準とするプリンタ１を例に説明しているが、プリンタ１としては、これに限るものではなく、用紙Ａの一側部を用紙Ａの位置決め基準とするプリンタ１であってもよい。この場合には、用紙幅ガイド３８ａ，３８ｂのうちの一方が用紙幅方向に移動自在に設けられていればよい。
【００３６】
このような構成において、用紙案内経路１９への用紙Ａのセットにおいては、まず、保持側板２２を固定解除位置に回動させて、片持ちユニット２１の側板３２に対する固定を解除する。次に、片持ちユニット２１を開放位置へ回動させて、用紙案内経路１９を開放する。そして、用紙保持部９に保持されている用紙Ａを用紙裏面ガイド３９ａ，３９ｂ、駆動ローラ１０及びプラテン１３に沿わせるようにして引き出す。次に、用紙幅ガイド３８ａ，３８ｂを用紙Ａの幅に合わせて用紙幅方向に移動させて位置調節する。次に、片持ちユニット２１を開放位置から印字可能位置へ回動させる。これにより、用紙Ａが用紙案内経路１９にセットされる。次に、保持側板２２を固定位置に回動させて、片持ちユニット２１を側板３２に固定する。これにより、用紙Ａに対して印字が可能な状態となる。
【００３７】
印字動作においては、上述のように用紙Ａ及びインクリボンＢを用紙案内経路１９及び印字部１５にセットした状態で、駆動ローラ１０及びプラテン１３を回転駆動させることにより、用紙ガイド部１８によって用紙Ａの表裏面及び両側部を案内しながら用紙Ａを用紙案内経路１９に沿って搬送し、その搬送の過程において、リボン供給軸４４及びリボン巻取軸４５を回転駆動させてリボンを印字部１５に供給し、サーマルヘッド２８の所定の発熱体を発熱させてインクリボンＢに塗布されたインクを溶融させることによって印字が行なわれる。このとき、センサ１７によって、用紙案内経路１９に印字すべき用紙Ａがあるか否かが検出される。また、用紙がラベル用紙の場合には、センサ１７は、ラベルを検出したり用紙Ａの裏面に所定間隔で印刷されたブラックマークを検出する。
【００３８】
上述したように、本実施の形態のプリンタでは、片持ちユニット２１を開放位置へ回動させることにより、用紙表面ガイド４０が開放位置へ回動され、用紙案内経路１９が開放されるので、用紙Ａの用紙案内経路１９へのセット作業、用紙Ａやラベルのジャム処理作業、用紙ガイド部１８に対する清掃作業や点検作業のどの各種作業のための作業空間が拡大でき、それらの作業の容易化を図ることができる。
【００３９】
また、本実施の形態では、搬送部１２は、駆動ローラ１０とこの駆動ローラ１０に対向して用紙Ａを挟むピンチローラとしてのピンチローラ体３３とを含み、印字部１５は、プラテン１３と印字ヘッドとしてのサーマルヘッド２８とを含み、ピンチローラ体３３とサーマルヘッド２８とは、移動する一方の用紙表裏面ガイドである用紙表面ガイド４０と一体に保持されていることにより、片持ちユニット２１を開放位置へ回動させることによって、用紙表面ガイド４０に加えて、ヘッドブロック１４及びピンチローラブロック１１が開放位置へ回動され、用紙案内経路１９が開放されるので、用紙ガイド部１８に加えて、印字部１５及び搬送部１２に対する清掃作業や点検作業などの各種作業などのための作業空間を拡大でき、それらの作業の容易化を図ることができるとともに、用紙Ａの用紙案内経路１９へのセット作業、用紙Ａやラベルのジャム処理作業のさらなる容易化を図ることができる。
【００４０】
また、本実施の形態では、少なくとも一方が用紙Ａの幅方向に対して移動自在であって用紙Ａの用紙搬送方向に対する両側部を案内する一対の用紙幅ガイド３８ａ，３８ｂを具備し、移動する一方の用紙表裏面ガイドである用紙表面ガイド４０は、用紙幅ガイド３８ａ，３８ｂに対向配置されるとともに、用紙幅ガイド３８ａ，３８ｂの進入を許容する進入空間Ｃを形成する用紙搬送方向上下流側に位置付けられた第一の用紙面ガイド４０ａ及び第二の用紙面ガイド４０ｂを具備することにより、用紙幅ガイド３８ａ，３８ｂを確実に用紙幅方向に移動させることができる。
【００４１】
また、本実施の形態では、用紙幅ガイド３８ａ，３８ｂは、移動する一方の用紙表裏面ガイドである用紙表面ガイド４０とは独立して設けられていることにより、用紙表面ガイド４０の回動操作性を向上させることができる。
【００４２】
【発明の効果】
本発明のプリンタによれば、用紙のセット作業や用紙ジャム処理作業のための作業空間を拡大でき、これにより、それらの作業の容易化を図ることができる。
【図面の簡単な説明】
【図１】本発明の実施の一形態のプリンタの外観を概略的に示す斜視図である。
【図２】カバーが開けられた状態であって、用紙案内経路が開放された状態のプリンタを概略的に示す斜視図である。
【図３】片持ちユニットが開放位置にある状態を示す斜視図である。
【図４】プリンタの内部構造を概略的に示す縦断側面図である。
【図５】保持側板に固定された状態の片持ちユニットを示す斜視図である。
【図６】片持ちユニットの取り付け構造を示す平面図である。
【図７】片持ちユニットの取り付け構造を示し、（ａ）は片持ちユニットが動作位置にある状態を示す正面図、（ｂ）は片持ちユニットが開放位置にある状態を示す正面図である。
【図８】用紙ガイド部を示す斜視図である。
【図９】用紙ガイド部を示す縦断側面図である。
【図１０】用紙ガイド部を示す縦断正面図である。
【図１１】従来の用紙ガイド部を示す背面図である。
【符号の説明】
１…プリンタ、１０…駆動ローラ、１２…搬送部、１３…プラテン、１５…印字部、２８…印字ヘッド（サーマルヘッド）、３３…ピンチローラ（ピンチローラ体）、３８ａ，３８ｂ…用紙幅ガイド、３９…用紙表裏面ガイド（用紙裏面ガイド）、４０…用紙表裏面ガイド（用紙表面ガイド）、４０ａ…第一の用紙面ガイド、４０ｂ…第二の用紙面ガイド、Ａ…用紙、Ｃ…進入空間
【図１】
0003732790.tif 000002
【図２】
0003732790.tif 000003
【図３】
0003732790.tif 000004
【図４】
0003732790.tif 000005
【図５】
0003732790.tif 000006
【図６】
0003732790.tif 000007
【図７】
0003732790.tif 000008
【図８】
0003732790.tif 000009
【図９】
0003732790.tif 000010
【図１０】
0003732790.tif 000011
【図１１】
0003732790.tif 000012